(57)【要約】【課題】  選別部の格別の構成を不要として、小型軽量化が図れる簡易プレス選別機を提供することを目的とする。【解決手段】  異なった種類の缶、ペットボトル等を分別した後、圧縮・減容して選別収容するように構成した簡易プレス選別機において、プレス機１と選別台２を分離構成するとともに、前記プレス機１を選別台２上にて移動可能に構成したことにより、何らの複雑な選別構造物を要することなく、プレス機１を単に移動するだけで、選別台２における選別すべきごみ袋１５等の直上にて缶等の容器を集中してプレス作業を簡便に行うことができるので、装置の小型軽量化により、イベント会場等での使用や車載用への転用が可能となる。【選択図】  図１
2006043715.tif 000002
【特許請求の範囲】
【請求項１】
異なった種類の缶、ペットボトル等を分別した後、圧縮・減容して選別収容するように構成した簡易プレス選別機において、プレス機と選別台を分離構成するとともに、前記プレス機を選別台上にて移動可能に構成したことを特徴とする簡易プレス選別機。
【請求項２】
前記選別台の上部にプレス機の車輪を載置するレールを設けるとともに、該レールの下部に複数のごみ袋取付枠を併設したことを特徴とする請求項１に記載の簡易プレス選別機。
【請求項３】
前記選別台の下部にキャスタを設置して運搬可能に構成したことを特徴とする請求項１または２に記載の簡易プレス選別機。
【請求項４】
前記選別台をごみ収集車等の車体に取付け可能に構成したことを特徴とする請求項１まから３のいずれかに記載の簡易プレス選別機。
【請求項５】
前記プレス機において、一対のプレスベルトの上部拡開部間に略菱形状のガイドブロックを配設したことを特徴とする請求項１から４のいずれかに記載の簡易プレス選別機。
【請求項６】
前記プレス機において、一対のプレスベルトが駆動モータおよび内燃機関の選択的使用により駆動されることを特徴とする請求項１から５のいずれかに記載の簡易プレス選別機。
【発明の詳細な説明】
【技術分野】
【０００１】
本発明は、異なった種類の缶、ペットボトル等を分別した後、圧縮・減容して選別収容するように構成した簡易プレス選別機に関する。
【背景技術】
【０００２】
近年、地球環境の劣化や資源の枯渇等の問題を解決するために、ごみ資源のリサイクル化が促進されている。ごみ資源のリサイクルにはごみの分別が欠かせないものであり、各家庭は言うに及ばず、各種の事業所、高速道路のサービスエリア、病院、鉄道の駅舎等人々が多く集まり、多量のごみが放出される施設では、ごみの分別・細分化には多くの苦労や努力がなされているものの、現状のごみ箱は比較的大型の箱状体から構成されており、多種類のごみの分別を行うには広いスペースを要して限界があり、頭を悩ませているところである。
【０００３】
特に、缶やペットボトル、瓶等は飲料が飲まれた後は容積が嵩張ることから、足で潰して圧縮・減容して袋に分別収容したり、自販機のデポジットシステムにて回収していた。足で潰す場合には力を要して婦女子には面倒であり、また自販機のデポジットシステムではシステムの構築が必要となって、広く普及していないのが現状である。そのようなことから、ごみ収集車等に設置され、ごみの収集現場にて缶やペットボトルの圧縮・減容ができる破砕機が提案された（例えば下記特許文献１参照）。
【特許文献１】特開平１１−１０４５０６号公報
【発明の開示】
【発明が解決しようとする課題】
【０００４】
図４によって前記特許文献１に開示された破砕機を簡単に説明する。ガラス瓶や空缶が投入機１９４から破砕プレス機１７５へ送り込まれ、破砕プレス機１７５のクランク軸２０３が回転することで、揺動・回動する上顎部１９１が下顎部１９０と共働してガラス瓶を破砕し、破片は開口２１７を通過して第２シュート２１６を通り、ベルトコンベア１８４上に落下する。空缶は開口２１７の上を滑り、第１シュート２１５を通ってベルトコンベア１８３上に落下する。空缶はベルトコンベア１８３で運搬されて磁選機の下方を通過する際に、スチール缶かアルミ缶かが分別される。このような破砕プレス機の出現によって、ごみの収集現場にて缶やペットボトルの圧縮・減容ができて、ごみ収集車等のごみの収集能力が向上することとなった。
【０００５】
しかしながら、前記従来の破砕機にあって、ごみの収集現場にて缶やペットボトルの圧縮・減容ができて、ごみ収集車等のごみの収集能力が向上することとなったものの、破砕部すなわち圧縮・プレス部と選別部とが一体不可分であるため、選別部の格別の工夫が必要であり、装置が大型化して構造も複雑になった。
【０００６】
そこで、本発明は、前記従来の破砕機等のプレス機の課題を解決して、選別部の格別の構成を不要として、小型軽量化が図れる簡易プレス選別機を提供することを目的とする。
【課題を解決するための手段】
【０００７】
そのため本発明は、異なった種類の缶、ペットボトル等を分別した後、圧縮・減容して選別収容するように構成した簡易プレス選別機において、プレス機と選別台を分離構成するとともに、前記プレス機を選別台上にて移動可能に構成したことを特徴とする。また本発明は、前記選別台の上部にプレス機の車輪を載置するレールを設けるとともに、該レールの下部に複数のごみ袋取付枠を併設したことを特徴とする。また本発明は、前記選別台の下部にキャスタを設置して運搬可能に構成したことを特徴とする。また本発明は、前記選別台をごみ収集車等の車体に取付け可能に構成したことを特徴とする。また本発明は、前記プレス機において、一対のプレスベルトの上部拡開部間に略菱形状のガイドブロックを配設したことを特徴とする。また本発明は、前記プレス機において、一対のプレスベルトが駆動モータおよび内燃機関の選択的使用により駆動されることを特徴とするもので、これらを課題解決のための手段とするものである。
【発明の効果】
【０００８】
本発明では、異なった種類の缶、ペットボトル等を分別した後、圧縮・減容して選別収容するように構成した簡易プレス選別機において、プレス機と選別台を分離構成するとともに、前記プレス機を選別台上にて移動可能に構成したことにより、何らの複雑な選別構造物を要することなく、プレス機を単に移動するだけで、選別台における選別すべきごみ袋等の直上にて缶等の容器を集中してプレス作業を簡便に行うことができるので、装置の小型軽量化により、イベント会場等での使用や車載用への転用が可能となる。
【０００９】
また、前記選別台の上部にプレス機の車輪を載置するレールを設けるとともに、該レールの下部に複数のごみ袋取付枠を併設した場合は、レール上をプレス機が円滑に移動して選別すべきごみ袋の直上に位置させることができるばかりか、レール自体を選別台の補強枠体として兼用させることができる。そして、ごみ袋取付枠を利用してビニール袋やフレコンパック等のごみ袋を簡単に設置したり、取り外して廃棄することができる。さらに、前記選別台の下部にキャスタを設置して運搬可能に構成した場合は、高速道路やイベント会場等にて容易に使用場所に運搬することができる。
【００１０】
さらにまた、前記選別台をごみ収集車等の車体に取付け可能に構成した場合は、ごみ収集場所にて回収した缶やペットボトル等を即座に圧縮・減容してごみ収集車等の収集能力を大幅に向上させることができる。また、前記プレス機において、一対のプレスベルトの上部拡開部間に略菱形状のガイドブロックを配設した場合は、大量に投入された缶等が程よく振り分けられてプレスベルトの上部拡開部間に導かれ、プレス作業が滞ることがない。
【００１１】
さらに、前記プレス機において、一対のプレスベルトが駆動モータおよび内燃機関の選択的使用により駆動される場合は、必要に応じて交流電源やバッテリーさらには電源のないいかなる場所にても、缶やペットボトルの圧縮・減容が可能となる。
【発明を実施するための最良の形態】
【００１２】
以下、本発明の実施例を図面に基づいて詳細に説明する。図１は本発明の簡易プレス選別機の第１実施例を示すもので、図１（Ａ）は正面図、図１（Ｂ）は平面図、図２はプレス機の内部正面図である。図３は本発明の簡易プレス選別機の第２実施例を示すもので、車載用として使用状態の斜視図である。本発明の基本的構成は、図１に示すように、異なった種類の缶、ペットボトル等を分別した後、圧縮・減容して選別収容するように構成した簡易プレス選別機において、プレス機１と選別台２を分離構成するとともに、前記プレス機１を選別台２上にて移動可能に構成したことを特徴とするものである。
【実施例１】
【００１３】
以下、図面に基づいて本発明の簡易プレス選別機の第１実施例を詳述する。図１（Ａ）に示すように、本実施例の簡易プレス選別機は、缶、ペットボトル、瓶等のごみの種類に応じて複数の選別が可能な選別台２と、該選別台２の上部に略水平状に渡設された一対のレール４、４上に移動自在に載置されたプレス機１とから構成される。一対のレール４、４は両端部間に渡設された上枠１４、１４により接続される。このようにして構成された方形の枠体の４隅から鉛直方向に縦枠５、５、６、６、が立設され、それらの下端部が平面視方形の下枠７により接続されて箱の稜線状の選別台枠が構成される。
【００１４】
プレス機１の下部の４隅には４つの車輪３が軸支され、前記レール４に載置される。レール４、４間に渡り、図示の例では３つの選別用のごみ袋取付枠９、９、９が設置される。各ごみ袋取付枠９は、一方のレール４との間に介設された蝶番１１、１１によって上下揺動可能に構成され、図１（Ａ）の中央のごみ袋取付枠９の状態のように、揺動開放した取付枠９にごみ袋１５の上端開口縁を挟んだ後、格納位置に折り畳んで止め具１０を他方のレール４のピンに係止するように構成した。選別台２の下部４隅には４つのキャスタ８が軸支される。
【００１５】
この状態を上方から見た平面図が図１（Ｂ）である。符号１３は選別台２の後部に固定された運搬のためのハンドルである。プレス機１をレール４、４上にて水平方向に移動させ、それぞれの選別すべきごみ袋１５の上部においてプレス作業を行う。図１（Ｂ）の左側に位置する状態で、例えば缶の圧縮・減容作業を行った場合には、左側のごみ袋１５に圧縮された缶が落下収容される。次いで、プレス機１を中央に移動させて、例えばペットボトルの圧縮・減容作業を行った場合には、中央のごみ袋１５に圧縮されたペットボトルが落下収容される。最後に、プレス機１を右側に移動させて、例えば瓶の圧壊・減容作業を行った場合には、右側のごみ袋１５に圧壊された瓶のかけらが落下収容される。このようにして圧縮、選別作業が完了すると、前記ごみ袋取付枠９の止め具１０を外して各ごみ袋１５を取り出して廃棄すればよい。ごみ袋に代えてボックス等を設置してもよい。
【００１６】
選別台２のレール４上におけるプレス機１の位置保持は、図１（Ａ）に示すように、レール４上に節度突起４Ａ、４Ａを設けてもよいし、レール４に穿設された孔にプレス機１側からピンを出し入れするようにしてもよい。さらには、プレス機１の車輪３にブレーキを設置してもよい。前記レール４の断面形状は丸形でも角形でもよい。
【００１７】
次に、プレス機１について説明する。図２はプレス機の内部正面図である。ボックス状のプレス機１は下部４隅に車輪３が軸支されて、前記選別台２のレール４上を移動する。プレス機１の略中央の上下方向に一対の無端状のプレスベルト１７、１７が配設されており、缶等を圧縮するプレス部を構成する下半分と、缶等をプレス部に案内して導くＶ字状に配置された上半分である上部拡開部１７Ａ、１７Ａとから構成される。これらのプレスベルト１７は、下端部に配置された左右の駆動輪２０、２１により駆動され、無端状のベルト内に配置されてベルトをガイドする多数の内転輪１８が配設される。
【００１８】
プレスベルト１７は、金属チェーン、プラスチックベルトに金属突起を設けたもの、ゴムベルトに金属突起を設けたもの等から構成される。プレスベルト１７、１７の前記上部拡開部１７Ａ、１７Ａへの変曲点の外側には、外転輪１９、１９が配設されて上部拡開部１７Ａ、１７Ａの形状が保持される。前記プレスベルト１７の下端部に配置された左右の駆動輪２０、２１には、一体に左右の駆動ギヤ２２、２３が同軸で設置されており、これらは互いに噛合している。右駆動輪２２には駆動モーである電動モータ２６の出力軸との間に右駆動ベルト２４が張設され、左駆動輪２３には内燃機関２８の出力軸との間に左駆動ベルト２５が張設される。電動モータ２６の上部にはバッテリ２７が設置され、内燃機関２８の上方には燃料タンク３３が設置される。
【００１９】
これらの電動モータ２６と内燃機関２８とは選択的に作動し、一方の使用時には、他方の動力伝達系は遮断されるとよい。また、前記内燃機関２８は発電機として機能させることもできる。その場合は、左駆動ベルト２５の伝達系を遮断して、バッテリー２７に電力を供給する。電動モータ２６は図示省略の交流１００Ｖや２００Ｖの電源コードを用いて作動させることも可能である。また、車両に搭載の２４Ｖバッテリー電源にても動作可能である。
【００２０】
前記一対のプレスベルト１７、１７において、缶等をプレス部に案内して導くＶ字状に配置された上部拡開部１７Ａ、１７Ａ間には、所定間隔を置いて略菱形のガイドブロック１６が上下位置調節自在に配設される。調節形態は適宜選定される。このような構成により、大量に投入された缶等が程よく振り分けられてプレスベルトの上部拡開部１７Ａ、１７Ａ間に導かれ、プレス作業が滞ることがないようにされる。さらには、缶やペットボトル等のサイズに応じてガイドブロック１６を上下に位置調節をすることによって、上部拡開部１７Ａとガイドブロック１６との間の間隔を最適に調節することが可能となり、缶等が滞ることが防止される。さらに好適には、ガイドブロック１６の取付軸をクランク状に形成するとともに上下動させることで、楕円運動を行わせて、缶等の停滞させることなく、円滑に上部拡開部１７Ａ、１７Ａ間に送り出すように構成してもよい。なお、図２において符号２９は、缶等を受け入れる際の一対のガイド板を示す。
【実施例２】
【００２１】
図３は本発明の簡易プレス選別機の第２実施例を示すもので、車載用として使用状態の斜視図である。本実施例は、ごみ収集車３０の車体後部に選別台２を取付け可能に構成したものである。図示の例では、選別台２の水平状の上枠１４、１４を車体後部に抜き差し自在に設置したものである。プレス機１は電源ケーブル３１により供給される車載電源３２によって駆動される。本実施例の選別台２は、上枠１４、１４間に渡設されたレール４、４とで構成されたもので、縦枠や下枠を備えていないが、図１の第１実施例のもののように縦枠や下枠を備えていてもよい。レール４、４間には前記第１実施例のもののように、ごみ袋取付枠９によりポリ袋あるいはフレコンパック等のごみ袋１５が複数個取り付けられる。かくして、ごみ収集現場にて回収した缶やペットボトル等を即座に圧縮・減容して選別し、ごみ収集車等の収集能力を大幅に向上させることができる。
【００２２】
以上、本発明の実施例について説明してきたが、本発明の趣旨の範囲内にて、選別すべき缶、ペットボトル、瓶等のごみの種類、プレス機におけるプレスベルトの形状（無端ベルト状、リンク式チェーン形態、缶等を圧縮し易いようにベルトの表面に所定間隔毎に金属製の突起等を設置してもよい。）、形式および材質（金属、補強コードを埋設したゴムやプラスチック等）、上部拡開部の拡開角度、略菱形状のガイドブロックの形状（好適には菱形であるが、缶等がガイドされ易い上部拡開部の表面との間が下方ほど狭くなるような傾斜面としてもよい）、形式および材質（低摩擦係数の金属やプラスチック等）ならびにその運動形態（上下の調節の他、楕円運動制御形態等）、プレスベルトの駆動輪による駆動形態（摩擦駆動の他、プレスベルト内周面に形成した溝と駆動輪外周の突起との噛合による駆動等）、駆動モータの形状、形式（電動モータの他、オイルポンプと流体モータとの組合せ、内燃機関の形状、形式、選択的使用形態等については適宜選定できる。
【００２３】
また、選別台の形状（レールと上枠およびごみ袋取付枠とのみから構成される他、縦枠および下枠ならびにキャスタ設置等により運搬可能に構成する）、形式、選別台におけるレールの形状、（丸形、角形等、レールの両端部に設けられるストッパの形状等）、形式および材質、レールに載置されるプレス機の車輪の断面形状（フランジが実施例のようにレールを挟持する一対を備えてもよいし、外側のフランジを省略してもよい）、ごみ袋取付枠の形状、形式および揺動軸の軸支形態、選別台のキャスタの形状、形式および設置形態、選別台のごみ収集車等の車体への取付け形態（適宜のワンタッチ取付方式、一部出し入れ形式あるいは全部出し入れ形式等）等についても適宜選定できる。
【図面の簡単な説明】
【００２４】
【図１】本発明の簡易プレス選別機の第１実施例を示すもので、図１（Ａ）は正面図、図１（Ｂ）は平面図である。
【図２】同、プレス機の内部正面図である。
【図３】本発明の簡易プレス選別機の第２実施例を示すもので、車載用として使用状態の斜視図である。
【図４】従来の破砕機の要部側面図である。
【符号の説明】
【００２５】
１        プレス機
２        選別台
３        車輪
４        レール
５        縦枠
６        縦枠
７        下枠
８        キャスタ
９        ごみ袋取付枠
１０        止め金
１４        上枠
１５        ごみ袋（フレコンパック等）
１６        ガイドブロック
１７        プレスベルト
１７Ａ      上部拡開部
２０        右駆動輪
２１        左駆動輪
２２        右駆動ギヤ
２３        左駆動ギヤ
２４        右駆動ベルト
２５        左駆動ベルト
２６        駆動モータ
２７        バッテリ
２８        内燃機関
３０        ごみ収集車
【図１】
2006043715.tif 000003
【図２】
2006043715.tif 000004
【図３】
2006043715.tif 000005
【図４】
2006043715.tif 000006